(57)【要約】【課題】自動的に分割を行い撮影者のバックアップ操作の手間を省くと同時に、１シーンを途中で分割されることなくバックアップ先の容量以内に自動的に分割できることで利用者のイメージ通りにバックアップできることを目的とした映像記録方法及び映像記録装置を提供する。【解決手段】映像データの記録終了操作を行う際に、あらかじめ指定された分割サイズ情報と、現在の記録容量を比較し、現在の記録容量が分割サイズを上回った場合は、前回記録した映像データの終了位置で、ストリームデータを２つに分割し、それぞれのストリームに対して管理情報を用意する。【選択図】図１
2008276891.tif 000002
【特許請求の範囲】
【請求項１】
ランダムアクセス可能な記録媒体に映像データを記録再生を行う映像記録装置において、
データ分割のための分割サイズ情報と現在の記録容量を比較する比較部と、
前記記録媒体において以前記録停止した位置を検出する検出部と、
前記検出部で検出した位置でストリームデータを分割するストリーム分割部と、
前記検出部で検出した位置に応じて管理情報を編集する管理情報編集部と、
前記分割サイズ情報より超過したストリームデータを新規ストリームとして生成するストリーム制御部と、
前記ストリーム制御部で生成されたストリームデータに対して新規管理情報として生成する管理情報生成部を備え、
前記比較部において、前記分割サイズと現在の記録容量を比較した結果が前記記録容量が前記分割サイズ情報を超えている場合に、前記ストリーム分割部は前記検出部により検出した記録停止位置でストリームを分割し、さらに、前記管理情報編集部は、前記検出部で検出した位置に応じて管理情報の編集を行い、さらに、ストリーム制御部は、前記分割サイズ情報より超過したストリームデータを新規ストリームとして生成し、さらに、管理情報生成部は、前記ストリーム制御部で生成されたストリームデータに対して新規管理情報を生成することを特徴とする映像記録装置。
【請求項２】
前記分割サイズ情報は、記録された映像データを外部メディアにバックアップする際に、対象となるバックアップ先の外部メディアの容量であり、予め装置内に保存している、もしくは変更可能であることを特徴とする請求項１に記載の映像記録装置。
【請求項３】
前記検出部は、前記管理情報に含まれるシーン開始情報やシーン記録時間およびシーン記録終了時間を基に、前回記録が終了したシーンを検出すると同時に前記ストリームデータ上にも前回記録が終了したシーンを検出することを特徴とした請求項１に記載の映像記録装置。
【請求項４】
前記管理情報編集部は、前記ストリーム分割部でストリームデータを分割する際、分割してできる時間情報の古いストリームデータが再生できるように前記管理情報を変更することを特徴とした請求項1に記載の映像記録装置。
【請求項５】
前記管理情報作成部は、前記ストリームデータを前記分割部により前記ストリームデータを分割した際に作成される時間の新しい方のストリームデータを管理するための管理情報を作成し、分割前に管理していたストリームの管理情報を作成した管理情報に反映し、分割後の時間の新しい方のストリームデータを再生できるように変更を加えることを特徴とした請求項1に記載の映像記録装置。
【請求項６】
前記分割部は、１シーンのサイズが前記分割サイズ情報を超えてしまう場合には、前記分割サイズ情報のサイズ内になるように分割することを可能とすることを選択でき、自動分割可能が有効な場合には１シーンの途中でも自動的に分割することを特徴とする請求項１に記載の映像記録装置。
【請求項７】
前記ストリームデータとは、ＭＰＥＧデータであることを特徴とする請求項１に記載の映像記録装置。
【請求項８】
前記バックアップ先の記録媒体は取り外し可能な記録媒体であることを特徴とする請求項１に記載の映像記録装置。
【請求項９】
前記ストリームデータと前記管理情報はＤＶＤ−ＶＲ規格に準拠することを特徴とする請求項１に記載の映像記録装置。
【請求項１０】
使用者の操作により映像データの記録終了を行う際に、分割サイズ情報と、現在の記録容量を比較する比較ステップと、前記分割サイズ情報を超えて記録している場合には、以前記録終了した位置を検出する検出ステップと、前記検出ステップにより検出された位置でストリームデータを分割するストリーム分割ステップと、前記ストリームデータの管理情報も分割されたことを示すように編集を行う管理情報編集ステップと、前記検出ステップによって検出された位置から前記分割サイズ情報に対して超過して記録した部分までを新しいデータストリームとして記録するストリーム制御ステップと、新しく分割されたデータストリームに対して新たに管理情報を作成する管理情報作成ステップを備えることを特徴とした映像記録方法。
【請求項１１】
前記検出ステップは、前記ストリームデータの管理情報内に含まれるシーン開始情報やシーン記録時間およびシーン記録終了時間を元に、前回記録が終了したシーンを前記管理情報内から検出すると同時に前記ストリームデータ上にも前回記録が終了したシーンを検出することを特徴とした請求項１０に記載の映像記録方法。
【請求項１２】
前記管理情報編集ステップは、既に前記記録媒体内に存在している前記ストリームデータを前記検出ステップにて検出されたシーンで分割する際に、分割してできる時間情報の古いストリームデータに対して再生できるように変更を加え、保存することを特徴とした請求項１０に記載の映像記録方法。
【請求項１３】
前記管理情報作成ステップは、前記ストリームデータを前記分割ステップにより前記ストリームデータを分割した際に作成される時間の新しい方のストリームデータを管理するための管理情報を作成し、分割前に管理していたストリームの管理情報を作成した管理情報に反映し、分割後の時間の新しい方のストリームデータを再生できるように変更を加えることを特徴とした請求項１０に記載の映像記録方法。
【請求項１４】
前記分割ステップは、１シーンのサイズが前記分割サイズ情報を超えてしまう場合には、前記分割サイズ情報のサイズ内になるように分割することを可能とすることを選択でき、自動分割可能が有効な場合には１シーンの途中でも自動的に分割することを特徴とする請求項１０に記載の映像記録方法。
【請求項１５】
前記ストリームデータと前記管理情報はＤＶＤ−ＶＲ規格に準拠することを特徴とする請求項１０に記載の映像記録方法。
【発明の詳細な説明】
【技術分野】
【０００１】
本発明は映像信号をデジタルデータに変換し、ＨＤＤ（ＨＡＲＤ  ＤＩＳＫ  ＤＲＩＶＥ）などの大容量記録媒体にＭＰＥＧ（ＭｏｖｉｎｇＰｉｃｔｕｒｅ Ｅｘｐｅｒｔ Ｇｒｏｕｐ）形式で圧縮を行いながら記録を行う際に、バックアップ先の小容量のメディア（例えばＤＶＤ（ＤｉｇｉｔａｌＶｅｒｓａｔｉｌｅ Ｄｉｓｋ））に格納しやすい形式に分割を行いながら記録する記録方法および記録装置に関するものである。
【背景技術】
【０００２】
近年、ＤＶ（Ｄｉｇｉｔａｌ  Ｖｉｄｅｏ）形式のビデオカメラに代わり、より利便性を高めるために記録メディアにＤＶＤやＨＤＤを用いたビデオカメラが浸透し始めてきている。この新しい記録メディアを用いたビデオカメラでは、テープ形式の媒体にはないような機能である、データの記録位置を気にすることなく記録開始することが可能であり、録画したデータを再生する場合にも、所望シーンの始めから再生する場合には、テープ媒体の場合は早送りなどでシーンの先頭まで送りテープを送り、再生をしなければならないが、DVDやHDDといった記録媒体の場合には、簡単に所望のデータを再生することができる機能を提供することができる。
【０００３】
しかしこのような新しいメディアとしてＤＶＤやＨＤＤがあるが、これらのメディアには記録できる容量に大きな差異があり、記録できる時間に大きな違いがある。ＨＤＤは現在ビデオカメラに用いるのに最適な１．８インチのもので、３０Ｇバイト以上のものが主流であり、それに比べると現在ビデオカメラに用いられている８ｃｍサイズのＤＶＤでは１．４Ｇバイトのものが主流であり、２層を使用したものでも２．８ＧバイトとＨＤＤに比べると少しの時間しか記録できない。
【０００４】
こう記載してくるとＤＶＤに比べてＨＤＤを記録媒体に用いた方が一見優れているように思われるが、ＨＤＤではこうした大容量で長時間記録できるのだが、ビデオカメラ上に記録されたデータをビデオカメラの外へデータを移動させる際にはＤＶＤに比べて不便である。つまり、ＤＶＤを記録媒体に用いたビデオカメラでは撮影後にＤＶＤのディスクを取り出して互換性のあるプレイヤーに入れるだけで再生が可能となる。
【０００５】
また、規格が整備されていることもあり、撮影した映像を用意にＰＣ（ＰｅｒｓｏｎａｌＣｏｍｐｕｔｅｒ）などを使用し簡単に編集が行える。しかしＨＤＤを記録媒体に用いたビデオカメラでは、衝撃などからＨＤＤの記録媒体を保護するためにビデオカメラからＨＤＤを取り出せないようになっているものが多く、また、ＤＶＤなどのように物理媒体に記録される映像データの論理上のフォーマット形式が整備されていないので他の機器で撮影した映像をメディアを取り外して再生したり、編集したりすることはＤＶＤに比べて劣っている。
【０００６】
そこでＨＤＤのような大容量の記録媒体を用いたビデオカメラでＤＶＤなどのような利便性を実現する方法として、ＨＤＤ内のデータをＤＶＤ形式でバックアップを取り、他のプレイヤーでも再生できるフォーマットに変換することが考えられる。そのような方法について例えば、特開２００２−２４５７１７のような方法が公開されている。以下ではこの方法について簡単に説明する。
【０００７】
特開２００２−２４５７１７では、例えばバックアップ対象として１２ｃｍのＤＶＤだと仮定した場合、分割サイズは４．７Ｇバイトであるが、このサイズ内に収まるように記録サイズを記録中に常に監視しており、分割サイズを超えたあるいは超えそうな場合に、装置が自動的にストリームデータをＧＯＰ（Ｇｒｏｕｐ Ｏｆ  Ｐｉｃｔｕｒｅ）単位などで分割サイズ内になるように分割するといったものである。
【特許文献１】特開２００２−２４５７１７号公報
【発明の開示】
【発明が解決しようとする課題】
【０００８】
しかしながら、前記従来の方式ではバックアップ先のメディアに格納できる大きさでストリームが作成されるのでバックアップの際に便利ではあるが、記録サイズのみが重要視されているので、例えばビデオカメラを使用する人が撮影開始から撮影終了までの１シーンを撮影した場合に、分割位置が１シーンの途中にあった場合に、１シーンの途中で映像が分割されることになり、バックアップをした際に、撮影者が１シーンと思っていた映像がバックアップ先では２枚のＤＶＤに別れてしまうといった状況が発生してしまう。
【０００９】
本発明は、このような従来の課題を解決するためのもので、自動的に分割を行い撮影者のバックアップ操作の手間を省くと同時に、１シーンを途中で分割されることなくバックアップ先の容量以内に自動的に分割できることで利用者のイメージ通りにバックアップできることを目的とした映像記録方法及び映像記録装置を提供することを目的とする。
【課題を解決するための手段】
【００１０】
前記課題を解決するために、本発明の映像記録装置は、ランダムアクセス可能な記録媒体に映像データを記録再生を行う映像記録装置において、データ分割のための分割サイズ情報と現在の記録容量を比較する比較部と、前記記録媒体において以前記録停止した位置を検出する検出部と、前記検出部で検出した位置でストリームデータを分割するストリーム分割部と、前記検出部で検出した位置に応じて管理情報を編集する管理情報編集部と、前記分割サイズ情報より超過したストリームデータを新規ストリームとして生成するストリーム制御部と、前記ストリーム制御部で生成されたストリームデータに対して新規管理情報として生成する管理情報生成部を備え、前記比較部において、前記分割サイズと現在の記録容量を比較した結果が前記記録容量が前記分割サイズ情報を超えている場合に、前記ストリーム分割部は前記検出部により検出した記録停止位置でストリームを分割し、さらに、前記管理情報編集部は、前記検出部で検出した位置に応じて管理情報の編集を行い、さらにストリーム制御部は、前記分割サイズ情報より超過したストリームデータを新規ストリームとして生成し、さらに、管理情報生成部は、前記ストリーム制御部で生成されたストリームデータに対して新規管理情報を生成することを特徴とするものである。
さらに、映像記録装置において、前記分割サイズ情報は、記録された映像データを外部メディアにバックアップする際に、対象となるバックアップ先の外部メディアの容量であり、予め装置内に保存している、もしくは変更可能であることを特徴とするものである。
【００１１】
さらに、映像記録装置において、前記検出部は、前記管理情報に含まれるシーン開始情報やシーン記録時間およびシーン記録終了時間を基に、前回記録が終了したシーンを検出すると同時に前記ストリームデータ上にも前回記録が終了したシーンを検出することを特徴とするものである。
【００１２】
さらに、映像記録装置において、前記管理情報編集部は、前記ストリーム分割部でストリームデータを分割する際、分割してできる時間情報の古いストリームデータが再生できるように前記管理情報を変更することを特徴とするものである。
さらに、映像記録装置において、前記管理情報作成部は、前記ストリームデータを前記分割部により前記ストリームデータを分割した際に作成される時間の新しい方のストリームデータを管理するための管理情報を作成し、分割前に管理していたストリームの管理情報を作成した管理情報に反映し、分割後の時間の新しい方のストリームデータを再生できるように変更を加えることを特徴とするものである。
【００１３】
さらに、映像記録装置において、前記分割部は、１シーンのサイズが前記分割サイズ情報を超えてしまう場合には、前記分割サイズ情報のサイズ内になるように分割することを可能とすることを選択でき、自動分割可能が有効な場合には１シーンの途中でも自動的に分割することを特徴とするものである。
さらに、映像記録装置において、前記ストリームデータとは、ＭＰＥＧデータであることを特徴とするものである。
さらに、映像記録装置において、前記バックアップ先の記録媒体は取り外し可能な記録媒体であることを特徴とするものである。
【００１４】
さらに、映像記録装置において、前記ストリームデータと前記管理情報はＤＶＤ−ＶＲ規格に準拠することを特徴とするものである。
また、映像記録方法において、使用者の操作により映像データの記録終了を行う際に、分割サイズ情報と、現在の記録容量を比較する比較ステップと、前記分割サイズ情報を超えて記録している場合には、以前記録終了した位置を検出する検出ステップと、前記検出ステップにより検出された位置でストリームデータを分割するストリーム分割ステップと、前記ストリームデータの管理情報も分割されたことを示すように編集を行う管理情報編集ステップと、前記検出ステップによって検出された位置から前記分割サイズ情報に対して超過して記録した部分までを新しいデータストリームとして記録するストリーム制御ステップと、新しく分割されたデータストリームに対して新たに管理情報を作成する管理情報作成ステップを備えることを特徴とするものである。
【００１５】
さらに、映像記録方法において、前記検出ステップは、前記ストリームデータの管理情報内に含まれるシーン開始情報やシーン記録時間およびシーン記録終了時間を元に、前回記録が終了したシーンを前記管理情報内から検出すると同時に前記ストリームデータ上にも前回記録が終了したシーンを検出することを特徴とするものである。
【００１６】
さらに、映像記録方法において、前記管理情報編集ステップは、既に前記記録媒体内に存在している前記ストリームデータを前記検出ステップにて検出されたシーンで分割する際に、分割してできる時間情報の古いストリームデータに対して再生できるように変更を加え、保存することを特徴とするものである。
【００１７】
さらに、映像記録方法において、前記管理情報作成ステップは、前記ストリームデータを前記分割ステップにより前記ストリームデータを分割した際に作成される時間の新しい方のストリームデータを管理するための管理情報を作成し、分割前に管理していたストリームの管理情報を作成した管理情報に反映し、分割後の時間の新しい方のストリームデータを再生できるように変更を加えることを特徴とするものである。
【００１８】
さらに、映像記録方法において、前記分割ステップは、１シーンのサイズが前記分割サイズ情報を超えてしまう場合には、前記分割サイズ情報のサイズ内になるように分割することを可能とすることを選択でき、自動分割可能が有効な場合には１シーンの途中でも自動的に分割することを特徴とするものである。
さらに、映像記録方法において、前記ストリームデータと前記管理情報はＤＶＤ−ＶＲ規格に準拠することを特徴とするものである。
【発明の効果】
【００１９】
以上のように本発明の映像記録装置及び映像記録方法によれば、自動的に分割を行い撮影者のバックアップ操作の手間を省くと同時に、１シーンを途中で分割されることなくバックアップ先の容量以内に自動的に分割できることで利用者のイメージ通りにバックアップできる。
【発明を実施するための最良の形態】
【００２０】
以下に本発明の映像記録再生方法及び映像記録機器の実施の形態を図面と共に詳細に説明する。
【実施例１】
【００２１】
図１は本発明の実施例１における映像記録装置の図を示すものである。
【００２２】
図1において、１００は本発明の映像記録装置の実施例であるＨＤＤ等の大容量記録メディアを搭載したビデオカメラである。ビデオカメラ１００は主に次の構成要素から構成されている。
【００２３】
まず中央演算装置２００は映像記録のための種々の演算を行い、各デバイスを制御する機能を有している。
【００２４】
次にバス３００は中央演算装置１００がメモリ４００と通信を行いながらデータの受け渡しを行うが、その際に計算された結果などが流れる通信路である。またそれと同時にデータだけではなく各種デバイスを制御するためのアドレス情報も通常流れる。
【００２５】
次に記録媒体５００はＨＤＤなどの大容量のものが使用され、映像入力部６００から入力されたアナログデータから変換されたデジタル信号をメモリ４００内で中央演算装置２００を用いて行われた演算結果（ここでは圧縮処理）を保存するための媒体で、主にＭＰＥＧデータが記録されている。
【００２６】
映像入力部６００はカメラであっても良いし、テレビなどのアナログ信号を入力できるライン入力であっても良い。要するに記録媒体５００に圧縮されたデジタルデータとして保存され、その記録媒体５００に記録されたデジタルデータを後ほど再生するためのデータの信号源であれば良い。
【００２７】
次に映像表示部７００は液晶デバイスのような何らかの処理中の情報などをユーザーに対して示すためのデバイスで、映像記録時には圧縮するためのカメラからの映像信号や記録時刻や記録モードなどを表示でき、また記録媒体５００内のデータの再生時には再生中の映像や再生時間などを表示することができる。また、ユーザーが再生の際に記録されているコンテンツのデータを選択したりするユーザーインターフェイスを表示することもできる。
【００２８】
ＰＣ接続部８００は外部のパソコン１０００とケーブル９００を介して接続し、記録媒体内のデータをパソコン１０００が制御することができるＤＶＤドライブ１０１０などを用いて記録することができるためのインターフェイスである。図２は本発明のビデオカメラとパソコンを接続してＤＶＤへデータを書き込む際の概念図を提供している。
【００２９】
また、メモリ４００内はビデオカメラを制御するプログラムやストリームを先読み出しするためのバッファメモリが存在し、その中には比較部４２０、ストリーム制御部４３０、分割部４１０、検出部４４０、管理情報編集部４５０、管理情報策西部４６０などの構成要素を含んでいるがこれらの構成要素については、後ほど本発明の実施方法と合わせて説明を行う。
【００３０】
図４は本実施例のビデオカメラで用いる記録媒体であるハードディスクのディレクトリ構成およびファイル構成の例である。図4では本実施の例でＤＶＤ−ＶＲ規格を用いた際のディレクトリ構成を示している。下記に簡単にその意味を説明する。
【００３１】
ＲＯＯＴ３００１はハードディスク内のファイルシステムでいうところの論理上の最上位層であることを示している。ＲＯＯＴという名前のディレクトリが存在しているわけではないが、存在していても良い。
【００３２】
ＤＩＳＣ１（３０１１）やＤＩＳＣ２（３０２１）はハードディスク内のデータをＤＶＤにバックアップする際のバックアップ先のディスクに該当する。つまりこの下のフォルダ構成でＤＶＤにそのままバックアップすれば、そのＤＶＤはＤＶＤ規格に則って記録されているので他の再生機器で再生することができる。図４はＤＶＤ−ＶＲ規格の例を記載している。使用する規格はＤＶＤ−ＶＲ以外でも何ら問題はない。
【００３３】
ＤＶＤ＿ＲＴＡＶ（３０１２、３０２２）はＤＶＤ−ＶＲ規格で定められたフォルダであり、必ずこの名前である必要がある。ＤＶＤ−ＶＲ規格ではこのフォルダ内に複数の管理ファイルやデータファイルを格納している。
【００３４】
ＶＲ＿ＭＡＮＡＧＥＲ．ＩＦＯ（３０１４、３０２４）はビデオデータを制御するための情報が記録されている管理情報である。通常ＩＦＯファイルと呼ばれている。このＩＦＯファイルに記載されている情報を元に、再生機ではデータの再生を行う。
【００３５】
ＶＲ＿ＭＡＮＡＧＥＲ．ＢＵＰ（３０１３、３０２３）は前述したＩＦＯファイルのバックアップのバックアップである。つまり同じ情報が通常記録されている。
【００３６】
ＶＲ＿ＭＯＶＩＥ．ＶＲＯ（３０１５、３０２５）は実際のビデオデータおよび音声データが多重化されたものである。ビデオデータと音声データの分離は前述のＩＦＯファイルを解析することによって分離することができる。そして分離されたデータをビデオデコーダやオーディオデコーダに入力するとＭＰＥＧデータが復号されて表示部７００にて再生の確認ができる。
【００３７】
続いて図３のフローチャートを用いて本実施例のビデオカメラが記録媒体のハードディスクにデータを記録し、図4のようなディレクトリを作成する方法について詳細に説明を行う。現在ハードディスク５００内にはＤＩＳＣ１（３０１１）以下のディレクトリ構成のみ記録されており、現在撮影中の映像データもＤＩＳＣ１（３０１１）ディレクトリ内のＤＶＤ＿ＲＴＡＶ（３０１２）ディレクトリ内に随時格納されていると仮定する。つまり、データ（ビデオ、音声）の実体はＶＲ＿ＭＯＶＩＥ．ＶＲＯに記録され、その管理情報であるＩＦＯファイルとそのバックアップファイルも更新されているとする。
【００３８】
まず図3において、ステップ２００１はメモリ４００内のストリーム制御部４３０によって蓄積されているＭＰＥＧデータがハードディスク５００に記録されている処理を示している。
【００３９】
ステップ２００２はユーザーが撮影停止ボタンを押したかどうかを判断しており、撮影停止ボタンが押されていない場合はハードディスクにデータの記録を継続する。
【００４０】
ステップ２００３はユーザーが撮影停止ボタンを押したことを受けて、比較部４２０を用いて記録サイズのチェックを行う。ここで比較の対象となるのは現在ハードディスク内に記録されているデータサイズと、あらかじめ記録前に決定されている分割サイズ情報である。分割サイズ情報はバックアップ先のメディアの容量を通常指定する。つまり１２ｃｍのＤＶＤであれば４．７Ｇバイトであるし、８ｃｍのＤＶＤメディアでれば１．４Ｇバイトである。比較部４２０によって現在の記録サイズが分割サイズ以内であると判断された場合には、そのまま記録ファイル等をクローズし管理情報を更新し、記録を停止する。また、比較部４２０において記録サイズが分割サイズ情報を既に超えていると判断した場合にはステップ２００４へ進む。
【００４１】
ステップ２００４は今回記録したシーンが１シーン目なのかどうかを判定する。ここで１シーン目ならステップ２００８へ、そうでなければステップ２００５へ進む。
【００４２】
ステップ２００５は前回記録したシーンの終了位置を検出部４４０により検出する。ここで検出部４４０は管理情報、すなわちＩＦＯファイルを参照して、前回のシーンの終了位置を検出する。これは1フォルダ目のサイズ、即ちバックアップ先のメディアサイズを記録サイズが超えてしまったので、前回のシーンの終了位置を検索し、それ以降のデータは新しいフォルダに格納するためである。
【００４３】
ステップ２００６はハードディスクに記録されたストリームデータ、すなわちＶＲＯファイル３０１５をステップ２００５で検出した位置でメモリ４００内の構成要素である分割部４１０およびストリーム制御部４３０を用いて分割する。
【００４４】
ステップ２００７はステップ２００６またはステップ２００８で２つに分割されたストリームのうち、前半部分のストリームにあわせて管理情報３０１４および３０１３をメモリ４００内の構成要素である管理情報編集部４５０を用いて更新する。その際に分割前の管理情報には分割後のストリームデータの管理情報も含まれているので分割後の前半のストリームに対して行う更新作業では消さないようにする必要がある。あるいは、IFOファイルのバックアップファイル３０１３をIFOファイル３０１４と同時に更新するのではなく、分割後の後半のストリームに対しての管理情報３０２４が出来上がるまでは更新せずに、後半のストリームのIFOファイル３０２４が出来上がった後にIFOファイルのバックアップファイル３０１３を更新するようにしても良い。
【００４５】
ステップ２００８はハードディスクに記録されたストリームデータ、すなわちＶＲＯファイルをメモリ４００内の構成要素である分割部４１０およびストリーム制御部４３０を用いて分割する。ここで分割点は、ハードディスクに記録されたデータの総サイズから、２つに分割されたストリームの後半部分のサイズを差し引いたサイズが、分割サイズ情報を下回る位置を自動選択する。
【００４６】
ステップ２００９はステップ２００６またはステップ２００８で２つに分割されたストリームのうち、後半部分のストリームの管理情報を記録するＩＦＯファイルを新規作成する。ここで管理情報は図４の３０２４の位置にメモリ４００の構成要素である管理情報作成部４６０によって作成され、現時点ではＩＦＯファイルは空である。
【００４７】
ステップ２０１０はステップ２００９で作成したＩＦＯファイル３０２４に前記ストリーム分割後の後半部分のストリームの管理情報を書き込む。ここで書き込む情報としては、分割後のストリームが正しく再生されることが満足されるようにメモリ４００内の構成要素である管理情報編集部４５０によって更新する。
【００４８】
ステップ２０１１はステップ２０１０で更新したＩＦＯファイル３０２４をクローズする。
【００４９】
ステップ２０１２はステップ２００１からステップ２０１０までで扱ってきたストリームファイルをクローズする。
【００５０】
以上のステップで映像を記録することにより、１シーンを途中で分割することなくバックアップ先記録媒体の容量に収まるよう、記録データを自動的に分割できるので、撮影者のバックアップ操作の手間を省くと同時に、撮影者のイメージ通りにバックアップすることが可能となる。
【産業上の利用可能性】
【００５１】
本発明にかかる映像記録方法及び映像記録装置は、自動的に分割を行い撮影者のバックアップ操作の手間を省くと同時に、１シーンを途中で分割されることなくバックアップ先の容量以内に自動的に分割できることで利用者のイメージ通りにバックアップできる機能を有し、映像信号をデジタルデータに変換し、ＨＤＤ（ＨＡＲＤ  ＤＩＳＫ  ＤＲＩＶＥ）などの大容量記録媒体にＭＰＥＧ（ＭｏｔｉｏｎＰｉｃｔｕｒｅ Ｅｘｐｅｒｔ Ｇｒｏｕｐ）形式で圧縮を行いながら記録を行う際に、バックアップ先の小容量のメディア（例えばＤＶＤ（ＤｉｇｉｔａｌＶｅｒｓａｔｉｌｅ Ｄｉｓｋ））に格納しやすい形式に分割を行いながら記録する際に有用である。
【図面の簡単な説明】
【００５２】
【図１】本発明の実施例１におけるビデオカメラの構成図
【図２】本発明の実施例１におけるビデオカメラとパソコンの接続図
【図３】本発明の実施例１におけるストリーム分割のフローチャート
【図４】本発明の実施例１におけるＨＤＤ内のディレクトリ構成図
【符号の説明】
【００５３】
１００  ビデオカメラ
２００  中央演算装置（ＣＰＵ）
３００  バス
４００  メモリ
４１０  分割部
４２０  比較部
４３０  ストリーム制御部
４４０  検出部
４５０  管理情報編集部
４６０  管理情報作成部
５００  ＨＤＤ
６００  カメラ
７００  表示部
８００  ＵＳＢ
９００  ＵＳＢケーブル
１０００  パソコン
１０１０  ＤＶＤドライブ
【図１】
2008276891.tif 000003
【図２】
2008276891.tif 000004
【図３】
2008276891.tif 000005
【図４】
2008276891.tif 000006